(57)【要約】【課題】電子貯金箱の構造を提供する。【解決手段】本考案の構造は、貯金箱１０、硬貨投入機構２０及び電子電子回路構造３０からなる。公知の貯金箱と異なり、電子式であり、硬貨投入機構２０により、硬貨額、投入金額を設定し、電子回路構造３０により、貯金金額、貯金目標、貯金速度、奨励音楽、時間設定、アラーム設定、及び、伝送画面によるコンピュータとの連結の機能を設定する。多様化の機能設定及びコンピュータへの連結後、マネージメントソフトの運用により、子供に貯蓄習慣を身につけさせる。【選択図】図１
0003127443.tif 000002
【実用新案登録請求の範囲】
【請求項１】
電子貯金箱構造であって、本構造は、主に、貯金箱、硬貨投入機構及び電子回路構造からなり、
前記貯金箱は表面に投入孔を有し、前記投入孔付近の同表面に、更に、表示パネルと数個の設定ボタンを設置し、前記貯金箱の底部に、蓋体を有する取り出し孔、電池ボックス及び出力孔を有し、前記表示パネル及び設定ボタンと前記電子回路構造は電気的に接続されて、前記電子回路構造が設定する機能、及び機能設定の操作を表示し、前記電池ボックスは、前記電子回路構造の電源で、前記蓋体と前記電子回路構造間は電気的に接続され、前記出力孔は前記電子回路構造が提供する伝送画面と電気的に接続され、
前記硬貨投入機構は、前記貯金箱の投入孔の内部に、硬貨投入機構と電子回路構造を設置し、前記硬貨投入機構のセンサーは、前記電子回路構造と電気的に接続され、電子回路構造に信号を提供し、前記電子回路構造は、硬貨量の測定及び投入機構とよりなり、前、後板体の結合後に投入孔を形成し、前記前、後板体の両側は、滑走方式により、二ブロックを設置し、前記両側ブロックは、前記前、後板体間に、相対する凸部を形成し、前記両側ブロックの板体に相隣する少なくとも一外側に、前記弾性部材両端によりそれぞれ、前記両側ブロックの側面を結合し、前記弾性部材を設置する相同の一面には、前記両側ブロックの底部でセンサーを設置してなり、
前記電子回路構造は、マイクロプロセッサ、スピーカー、メモリ、伝送画面からなり、前記センサー、前記設定ボタン及び表示パネルと電気的に接続されることを特徴とする電子貯金箱の構造。
【請求項２】
前記出力孔と前記電子回路構造により提供される伝送画面は電気的に接続され、実体伝送線或いは赤外線、無線電波或いはブルーティースなどからなる無線伝送方式によりコンピュータと連結されることを特徴とする請求項１に記載の電子貯金箱の構造。
【請求項３】
前記センサーは、ブラッシュピンにより前記ブロック上に結合され、ブラシ片はもう一つのブロック上に結合され、前記ブラッシュピン及び前記ブラシ片はどちらも金属導電材質で、前記電子回路構造と電気的に接続されることを特徴とする請求項１に記載の電子貯金箱の構造。
【請求項４】
前記センサーは、両ブラッシュピンによりそれぞれ両側ブロック上に結合され、前記ブラシ片は前記電子回路構造の表面上に結合され、前記ブラッシュピン及び前記ブラシ片はどちらも金属導電材質であり、前記ブラッシュピンと前記ブラシ片は点接触による導通で、前記電子回路構造と電気的に接続されることを特徴とする請求項１に記載の電子貯金箱の構造。
【請求項５】
前記センサーは、前記ブロック底部とブロック底部に対応する板体下方位置に、ラスター及び赤外線を前記電子回路構造表面上に形成してなり、前記赤外線と前記電子回路構造は、電気的に接続されることを特徴とする請求項１に記載の電子貯金箱の構造。
【請求項６】
前記電子回路構造は、前記メモリ中に硬貨直径に対応する硬貨値及び音楽効果フォーマットを保存することを特徴とする請求項１に記載の電子貯金箱の構造。
【請求項７】
前記表示パネルは、貯金額、貯金貯蓄高、システム作動ランプ及び時間表示を表示することを特徴とする請求項１に記載の電子貯金箱の構造。
【請求項８】
前記設定ボタンは、目標設定額、目標調整、貯金内容、時間設定、時間設定と分設定を含むことを特徴とする請求項１に記載の電子貯金箱の構造。
【請求項９】
前記電子回路構造のメモリ中の音楽効果フォーマットは、音楽ＩＣにより保存され、マイクロプロセッサにより、音楽回路を通じ、スピーカーから再生されることを特徴とする請求項６に記載の電子貯金箱の構造。
【請求項１０】
前記時間設定、時間、分設定は、アラームの設定及びアラーム音楽の選択設定を実行することを特徴とする請求項８に記載の電子貯金箱の構造。
【請求項１１】
前記硬貨投入機能のブロックは、固定式で前、後板体の一側に設置され、もう一つのブロックは外側に向かってシフトし、旧位置に復元するように設置されていることを特徴とする請求項１に記載の電子貯金箱の構造。
【請求項１２】
前記硬貨投入機構は、前記前、後板体の両側で、滑走方式により外側シフト及び復元する両ブロックを設置することを特徴とする請求項１に記載の電子貯金箱の構造。
【考案の詳細な説明】
【技術分野】
【０００１】
本考案は、貯金箱の構造に関し、更に具体的に言うと、本考案は電子式の電子貯金箱構造であって、公知の貯金箱は単一の貯金機能しかないが、本考案では、硬貨投入機構により、硬貨額と投入硬貨を設定し、電子回路構造により、投入金額、貯金金額、貯金貯蓄高、奨励音楽、時間設定、アラーム設定及び伝送画面によるコンピュータへの連結等の多種機能を有する貯金箱に関するものである。
【背景技術】
【０００２】
公知の貯金箱は、どれも、任意造型の中空立体型で、貯金箱の適切な位置に投入孔を備え、別の適切な位置に取り出し孔を有し、硬貨が投入されて、貯金できる仕組みになっている。しかし、従来の貯金箱の設計は長らく外形の変化にしか手が加えられてこなかったので、以下のような欠点がある。
【０００３】
１．貯金箱に貯金された総金額を随時に知ることが出来ない。
２．貯金箱内に貯金された金額を知りたい場合、全て取り出して、人手により計算しなければならないので、時間がかかる。
３．硬貨の種類が多い上に、硬貨の数量も多いという状況下では、計算の正確性が低下する上、各種硬貨を分類して、貯金総額を計算するまでの過程には、時間がかかる。
４．公知の貯金箱は、使用者に興味を示させる機能がなく、単純に外形の変化により視覚的に面白いと思わせるだけであるので、一定期間の後には放置されたり、捨てられたりしている。
【考案の開示】
【考案が解決しようとする課題】
【０００４】
本考案は、電子式で、硬貨投入機構により、硬貨額と投入硬貨を識別し、電子回路構造により、投入硬貨種類、投入した硬貨の数量、貯金金額、貯金貯蓄高、奨励音楽、時間設定、アラーム設定及び伝送画面によるコンピュータ連結等の多種機能を有する貯金箱を提供することを目的とする。
【０００５】
本考案は、貯金箱の電子構造の伝送画面によりコンピュータと連結し、使用者は、コンピュータ中に装着されたマネージメントソフトにより、貯金箱内に貯金された金額及び数量を管理することをもう一つの目的とする。
【０００６】
本考案は、使用者が随時に貯金箱内の貯金額や、硬貨の数量、貯金貯蓄高等を知ることができ、人手によらず、分類及び計算ができ人力と時間を節約することをもう一つの目的とする。
【０００７】
本考案は、使用者の能力により貯金目標額を設定でき、使用者が設定する貯金目標額により、段階的な貯金貯蓄高を実行し、各貯金貯蓄高に達すると奨励音楽を使用者に流し、使用者の貯金意欲を高める以外に、奨励や娯楽効果を達成することを更なる目的とする。
【課題を解決するための手段】
【０００８】
本考案の構造は、貯金箱、硬貨投入機構及び電子回路構造からなる。
貯金箱は硬貨を収容すると共に、投入孔に対応する硬貨投入機構を設置して、電子回路構造により信号を受信し、投入孔付近の適切な位置に、更に、表示パネルと数個の設定ボタンを設置して、電子回路構造が設定する機能と設定機能の操作を表示する。貯金箱の底部に、蓋体を有する取り出し孔、電池ボックス及び出力孔を有し、電子回路構造の電源と一部の機能をリセットすると共に、電子回路構造により提供される伝送画面により、出力孔と連結し、使用者は実体伝送線或いは無線伝送方式により、コンピュータと連結し、電子回路構造は、硬貨種類、投入の各硬貨数量、貯金金額、貯金目標額、貯金貯蓄速度、奨励音楽、時間設定、アラーム設定及び伝送画面によるコンピュータとの連結の機能を設定する。
【考案の効果】
【０００９】
本考案によれば、電子式で硬貨投入機構により、硬貨額と投入硬貨を識別し、電子回路構造により、投入硬貨種類、投入した硬貨の数量、貯金金額、貯金貯蓄高、奨励音楽、時間設定、アラーム設定及び伝送画面によるコンピュータ連結等の多機能を有する貯金箱が提供される。
【考案を実施するための最良の形態】
【００１０】
以下、本考案を実施するための最良の形態に係る実施例について図面を基に説明する。
【実施例１】
【００１１】
図１、図２で示されるように、本考案の電子貯金箱構造に係る第１実施例は、貯金箱１０、硬貨投入機構２０及び電子回路構造３０からなる。
【００１２】
貯金箱１０は、硬貨４０（図４参照）を収容し、貯金箱１０の表面上には投入孔１１を有して、投入孔１１に近接する同表面に、更に、表示パネル１２及び数個の設定ボタン１３を設置する。
【００１３】
貯金箱１０底部は、蓋体１４を有する取り出し孔１４１（図示しない）、電池ボックス１５及び出力孔１６を有し、貯金箱１０のその投入孔１１に対応する内部に、硬貨投入機構２０及び電子回路構造３０を有し、且つ、硬貨投入機構２０と電子回路構造３０は電気的に接続されており、電子回路構造３０は、硬貨投入機構２０からの信号を受信する。
貯金箱１０の表示パネル１２及び設定ボタン１３は電子回路構造３０と電気的に接続されており、電子回路構造３０が設定する機能と機能設定の操作を表示する。
【００１４】
貯金箱１０の電池ボックス１５は、電子回路構造３０に電源を供給し、蓋体１４と電子回路構造３０間は電気的に接続して、使用者は蓋体１４を開いて、取り出し孔１４１から、貯金箱１０内部の硬貨４０を取り出す時、一部の機能をリセットする（後述する）。
貯金箱１０の出力孔１６は、電子回路構造４０により提供される伝送画面と電気的に接続され、使用者は実体伝送線或いは無線伝送方式（赤外線、無線電波、或いは、ブルーティース）により、コンピュータと接続し、使用者は、コンピュータ中に装着された電子回路構造３０のマネージメントソフトにより、貯金箱１０内に貯金された貯蓄金額を計画・管理し、各硬貨４０の数量等を表示する。
【００１５】
図３で示されるように、硬貨投入機構２０の一側には、電子回路構造３０を設置し、硬貨４０（図示しない）の投入量を電気的に検知する投入機構となる。投入機構２０は、前、後板体２１、左右ブロック２２、センサー２３及び弾性部材２４からなり、前、後板体２１を結合させた後、硬貨投入孔２１１を形成し、貯金箱１０の投入孔１１に対応する位置に設置される。前、後板体２１の両側には、滑走方式により、外側に向けてシフトさせた２つのブロック２２を設置する。この両側のブロック２２は、その前，後板体２１，２１間に、相対向して、湾曲面になる凸部２２１を有する。
【００１６】
前記凸部２２１間に形成されたギャップは、径・幅共に寸法が最小硬貨４０の外径より小さく、両側ブロック２２の板体２１に相隣する少なくとも一外側に、弾性部材２４を設置されている。弾性部材２４の両端部と両側ブロック２２の側面とそれぞれ結合すると、両側ブロック２２の受力により外シフト後の復元力を有するようになる。弾性部材２４を設置してから、弾性部材２４と両側ブロック２２との相共通する底部に、センサー２３を設置する。
センサー２３は、ブラッシュピン２３１によりブロック２２上に結合され、ブラシ片２３２はもう一つのブロック２２上に結合されている。ブラッシュピン２３１及びブラシ片２３２はどちらも金属導電材質で、電子回路構造３０と電気的に接続され、全体が硬貨投入機構２０を構成する。
【００１７】
図４、図５で示されるように、投入構造２０は、正常状態下での両側ブロック２２の凸部２２１間のギャップの幅は、最小硬貨４０の外径より小さい（図４で示される）。硬貨４０が、貯金箱１０の投入孔１１から硬貨投入機構２０の硬貨投入孔２１１に投入された後、硬貨４０の最大外径が凸部２２１にそれぞれ当ることにより、投入機構２０の両側ブロック２２をそれぞれ外側にシフトさせる。そして、両側ブロック２２の相対向する凸部２２１間の距離が硬貨４０の最大外径の距離になったときが、その最大のシフト量であり、両側ブロック２２は常に平均して両側へシフトするのではない。硬貨４０投入時の施力点の偏移を考慮に入れて、両側ブロック２２のシフト距離に、正常状態下で形成されるギャップの距離を加えたものが、そのシフト量である。この時、両側ブロック２２に結合されたセンサー２３のブラッシュピン２３１及びブラシ片２３２の点接触導通方式と、両側ブロック２２の同時シフト距離とにより、電子回路構造３０に信号を送る。硬貨４０が投入機構２０を介して貯金箱１０に投入された時、弾性部材２４により、両側ブロック２２とセンサー２３は同時復元されて、硬貨投入と硬貨投入量の計測を完成させて、硬貨定位の動作を実行する。
【実施例２】
【００１８】
図６は、本考案の第２の実施例を示す図である。
この実施例では、硬貨投入機構２０一側に電子回路構造３０を設置したものである。前述の図３、図４及び図５の構造との相異点は、センサー２４の設置位置と態様が異なることで、両側ブロック２２の底部側面と電子回路構造３０の相対向する一面にセンサー２３を設置する。センサー２３は両ブラッシュピン２３１によりそれぞれ両側ブロック２２上に結合され、ブラシ片２３２は電子回路構造３０の表面上に結合される。ブラッシュピン２３１及びブラシ片２３２はどちらも金属導電材質である。
また、ブラッシュピン２３１とブラシ片２３２は、点接触による導通で電子回路構造３０と電気的に接続され、全体が硬貨投入機構２０のもう一つの実施形態を構成する。
【００１９】
図７、図８は、硬貨投入機構２０は、正常状態下で、両側ブロック２２の凸部２２１間のギャップの幅が最小硬貨４０の幅寸法および外径（直径）より小さい（図７で示される）。硬貨４０は、貯金箱１０の投入孔１１から硬貨投入機構２０の硬貨投入孔２１１に投入された後、硬貨４０の最大外径により、投入機構２０の両側ブロック２２をそれぞれ外側に最大にシフトさせるようになり、両側ブロック２２は常に平均して両側へシフトされるものではない。硬貨４０投入時の施力点の偏移を考慮して、両側ブロック２２のシフト距離に、正常状態下で形成されるギャップの距離を加えたものが、そのシフト量である。この時、両側ブロック２２に結合されたブラッシュピン２３１と電子回路構造３０に結合されたブラシ片２３２の点接触導通方式と、両側ブロック２２の同時シフト距離により、電子電子回路構造３０に信号を送る。
【実施例３】
【００２０】
図９は、本考案の第３の実施例を示す図である。
この実施例でも、硬貨投入機構２０一側に電子回路構造３０を設置してある。前述の図３、図４、図５、図６、図7、及び、図８の構造との相異点は、センサー２３の設置位置と態様が異なることで、両側ブロック２２の底部と対応するブロック２２底部の板体２１下方位置及び電子回路構造３０の相対向する一面に、センサー２３を設置してある。センサー２３は、ブロック２２底部とブロック２２底部に対応する板体２１下方位置に、ラスター２３１’及び赤外線２３２’を電子回路構造３０表面上に形成してなる。
赤外線２３２’と電子回路構造３０は、電気的に接続され、全体が硬貨投入機構２０の更にもう一つの実施形態を構成する。
【００２１】
図１０及び図１１によれば、硬貨投入機構２０は、正常状態下で、両側ブロック２２の凸部２２１間のギャップの距離は、最小硬貨４０の外径より小さい（図１０で示される）。硬貨４０は、貯金箱１０の投入孔１１から硬貨投入機構２０の硬貨投入孔２１１に投入された後、硬貨４０の最大外径により、投入機構２０の両側ブロック２２をそれぞれ外側に最大距離をシフトさせるのであり、両側ブロック２２は常に平均して両側へシフトされるのではない。硬貨４０投入時の施力点の偏移を考慮して、両側ブロック２２のシフト距離に、正常状態下で形成されるギャップの距離を加えたものが、そのシフト量である。この時、両側ブロック２２と板体２１が形成するラスター２３１’と電子回路構造３０に結合された赤外線２３２’により、両側ブロック２２が同時シフトで生成されるパルスを受け、パルス回数に基づいて、電子回路構造３０により、硬貨４０の直径の大小を得て、電子回路構造３０に信号を送る。
【００２２】
図１２及び図１３に示されるように、電子回路構造３０は、メモリ２１中に、数種の硬貨直径に対応する貨幣値（２０ｍｍ＝１円、２２ｍｍ＝５円、２３ｍｍ＝１０円、２１ｍｍ＝５０円、２６ｍｍ＝５００円）、及び音楽効果フォーマットを予め記憶保存させておく。硬貨の直径の設定がない場合には、識別できない。
【００２３】
表示パネル１２は、マイクロプロセッサ３２の連結により、貯金額或いは数量１２１、貯金貯蓄高１２２、貨幣値表示ランプ１２３、時間表示１２４を表示する。
設定ボタン１３は、目標設定額１３１、目標調整１３２、貯金内容１３３、時間設定１３４、時間、分設定、１３５、１３６を含み、電子回路構造３０作動時は、貯金計数状態（正常モード）、貯金目標額設定状態、時間設定状態、アラーム設定状態、及び貯金内容検索の５種の状態がある。
【００２４】
貯金目標額設定状態で、使用者は、設定ボタン１３により目標設定額１３１を設定する。その後、そのシステム作動ランプ１２３が上から下に第二ランプを点灯させると同時に、貯金額或いは数量１２１の数字が点滅される。そして、目標調整１３２を押した時、マイクロプロセッサ３２が、目標設定額１３１及び目標調整１３２からの信号を受信して、適切な金額の累進（１０００或いは２０００）を貯金目標として、表示パネル１２の貯金額或いは数量１２１欄に表示する。累進した目標金額に達した時、目標設定１３１を押してマイクロプロセッサ３２に信号を送り、貯金額或いは数量１３１の欄の数字が点滅しなくなるまで待ち、貯金目標をメモリ３１中に保存し、設定を完了する。
貯金額或いは数量１３１が貯金目標状態設定下で０を表示している場合には、目標額設定状態がないことを表示する。
【００２５】
貯金目標最大値は２０，０００であり、この最大値の後は、ゼロに戻って循環する。貯金目標設定状態に戻った時、この状態下で入力情報無しが一定時間を超過すると、貯金計数状態（正常状態）に戻る。
【００２６】
貯金計数状態において、投入機構２０を介して、１円、５円、１０円、５０円、５００円の硬貨が投入された時、投入機構２０はマイクロプロセッサ３２に信号を送り、マイクロプロセッサ３２はこの信号により得られた硬貨直径を、メモリ３１中に保存された硬貨直径に対応する硬貨値から読み取り、表示パネル１２の時間表示１２４欄に表示し、マイクロプロセッサ３２により現在の金額を累計して、表示パネル１２の貯金金額或いは数量１２１の欄に表示し、且つ、硬貨値の各種数量をメモリ３１中に累計する。それと同時に、マイクロプロセッサ３２によりメモリ３１中に保存された対応する音楽効果フォーマットを読み出し、スピーカー３３により音楽を再生する。
表示パネル１２は、同時に、点滅効果を生成する。貯金額が設定した貯金目標の５分の一に達した時、マイクロプロセッサ３２は、信号を表示パネル１２に提供し、表示パネル１２の貯金貯蓄高１２２欄が第一ランプを点滅させ、同時に、マイクロプロセッサ３２が、メモリ３１中に保存された対応する音楽効果フォーマットを読み取り、スピーカー３３により音楽を再生する。表示パネル１２は同時に、点滅効果を生成する。貯金額が５分の２に達した時も、第一、第二ランプが続けて点滅し、対応する音楽を再生する。
【００２７】
貯金計数状態下では、表示パネル１２は時間表示１２４欄で時間を表示し（硬貨投入時に貨幣値を表示する）、貯金額或いは数量１２１欄は現在の累計貯金総額を表示し、貯金貯蓄高１２２は貯金目標達成の状態を表示する。
【００２８】
貯金内容検索では、使用者が設定ボタン１３の貯金内容１３３を押した後、システム作動ランプ１２３が上から下に第一ランプを点灯させ、マイクロプロセッサ３２がこの信号を受信し、同時に、表示パネル１２の貯金額及び数量１２１欄で、５円の硬貨数量を表示し、表示パネル１２の時間表示１２４欄は００：５０を表示し、再度押すと、１円の硬貨数量を貯金額及び数量１２１欄に表示し、時間表示１２４欄は０１：００を表示し、以下同様である。適当な時間後、未実行の場合、貯金計数状態下の正常モードに戻る。
【００２９】
時間設定状態では、使用者が設定ボタン１３の時間設定１３４を押した後、システム作動ランプ１２３が上から下に第三ランプを点灯させ、時間設定１３５、或いは、分設定１３６を選択し、この時、マイクロプロセッサ３２がこの信号を受信し、選択された時間設定１３５、或いは、分設定１３６数字を表示パネル１２の時間表示１２４欄で点滅させ、時間設定１３５、或いは、分設定１３６を押してその時間を調整し、調整後、時間設定１３４を押すと、マイクロプロセッサ３２がこの設定完了信号を受信する。
【００３０】
アラーム設定状態では、上述の時間設定状態完成後、システムがアラーム設定状態に自動的に進入し、この時、システム作動ランプ１２３が上から下に第四ランプを点灯させ、時間設定１３５或いは分設定１３６を選択し、この時、マイクロプロセッサ３２がこの信号を受信し、選択された時間設定１３５或いは分設定１３６数字を表示パネル１２の時間表示１２４欄で点滅させ、時間設定１３５或いは分設定１３６を押してその時間を調整し、調整後、時間設定１３４を押すと、マイクロプロセッサ３２がこの設定完成の信号を受信する。と同時に、アラーム音楽の設定に進入し、この時、マイクロプロセッサ３２は、メモリ３１中に保存された音楽効果フォーマットを読み出して音楽を再生し、時間設定１３５或いは分設定１３６により、前後の音楽を調整し、選択後、設定１３４を押すと、マイクロプロセッサ３２がこの信号完成のアラーム時間及び音楽の設定を受信し、貯金計数状態の正常モード下に戻る。
【００３１】
電圧が不足した時、貯金額、及び、数量１２１欄及び貯金貯蓄高１２２欄が、間隔をおいて連続的に点滅して、マイクロプロセッサ３２が警告情報を提示する。電池交換時には、マイクロプロセッサ３２が全データをメモリ３１中に保存している。
【００３２】
貯金箱１０の蓋体１４が開けられた時、マイクロプロセッサ３２はこの信号を受信し、時間設定以外の全データをゼロにするので、投入硬貨を再度設定する必要がある。
【００３３】
貯金箱１０の出力孔１６は、電子回路構造３０が提供する伝送画面３４と電気的に接続され、実体伝送線或いは無線伝送（赤外線、無線電波、或いは、ブルーティース）によりコンピュータと連結していて、使用者は、コンピュータ中に装着された電子回路構造３０のマネージメントソフトにより、貯金箱１０内に貯金された金額を計画・管理し、各硬貨４０の数量等を表示させる。
【００３４】
電子回路構造３０中の音楽効果フォーマットは、音楽ＩＣ３５により設定保存されて、マイクロプロセッサ３２が音楽回路によりスピーカー３３を介して再生する。
【００３５】
硬貨投入機構２０の一方のブロック２２は固定式に前、後板体２１の一側に設置され、他方のブロック２２は外側に向かってシフト移動するようになり、この他方のブロック２２のシフト距離に、正常状態下で形成されたギャップの距離を加えた総和が、シフト移動量である。
【００３６】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００３７】
【図１】本考案の電子貯金箱構造の第１実施例を示す外観斜視図である。
【図２】図１の電子貯金箱構造を底面側から見た斜視図である。
【図３】本考案の電子貯金箱構造の部分的な内部構造を示す斜視図である。
【図４】図３の側面図である。
【図５】図４の作動状態を示す側面図である。
【図６】本考案の電子貯金箱構造の第２実施例を示す内部構造を示す斜視図で                ある。
【図７】図６の側面図である。
【図８】図７の作動状態示す側面図である。
【図９】本考案の電子貯金箱構造の第３実施例を示す内部構造を示す斜視図で                ある。
【図１０】図９の側面図である。
【図１１】図１０の作動状態示す側面図である。
【図１２】本考案の電子回路構造を示すブロック図である。
【図１３】本考案の電子貯金箱構造に用いられる表示パネル及び設定ボタンの配置状態を示す拡大説明図である。
【符号の説明】
【００３８】
１０      貯金箱
１１      投入孔
１２      表示パネル
１２１    貯金額或いは数量
１２２    貯金貯蓄高
１２３    システム作動ランプ
１３      設定ボタン
１３１    目標設定額
１３２    目標調整
１３３    貯金内容
１３４    時間設定
１３５    時間設定
１３６    分設定
１４      蓋体
１４１    取り出し孔
１５      電池ボックス
１６      出力孔
２０      硬貨投入機構
２１      板体
２１１    硬貨投入孔
２２      ブロック
２２１    凸部
２３      センサー
２３１    ブラッシュピン
２３１’  ラスター
２３２    ブラシ片
２３２’  赤外線
２４      弾性素子
３０      電子回路構造
３１      メモリ
３２      マイクロプロセッサ
３３      スピーカー
３４      伝送画面
３５      音楽ＩＣ
４０      硬貨
【図１】
0003127443.tif 000003
【図２】
0003127443.tif 000004
【図３】
0003127443.tif 000005
【図４】
0003127443.tif 000006
【図５】
0003127443.tif 000007
【図６】
0003127443.tif 000008
【図７】
0003127443.tif 000009
【図８】
0003127443.tif 000010
【図９】
0003127443.tif 000011
【図１０】
0003127443.tif 000012
【図１１】
0003127443.tif 000013
【図１２】
0003127443.tif 000014
【図１３】
0003127443.tif 000015